(57)【要約】【課題】製作時の誤差等の影響によるバラツキを極力少なくできると共に、扉体全体の剛性を十分に確保でき、扉体の移動端側の垂れ下がりを未然に防止できるようにする。【解決手段】複数本の右上がり傾斜リンク１４，１５と左上がり傾斜リンク１６，１７とをその交差部１２，１３でピン軸１８〜２３により枢着して伸縮自在に構成された上下のパンタグラフ機構４，５と、各パンタグラフ機構４，５に跨がって上下方向に配置され且つ交差部１２，１３で各パンタグラフ機構４，５に連結された伸縮方向に複数個の縦枠材８とを含む扉体３を備え、下側のパンタグラフ機構５の一対の縦枠材８間の傾斜リンク１５，１７の長さを、上側のパンタグラフ機構４の一対の縦枠材８間の傾斜リンク１４，１６よりも長くし、上下のパンタグラフ機構４，５の隣り合う縦枠材８間の交差部１２，１３のピン軸２２，２３を上下に連結する連結杆２４を設ける。【選択図】　　図１
2004011152.tif 000002
【特許請求の範囲】
【請求項１】
複数本の右上がり傾斜リンク（１４）（１５）と左上がり傾斜リンク（１６）（１７）とをその交差部（１２）（１３）でピン軸（１８）〜（２３）により枢着して伸縮自在に構成された上下複数個のパンタグラフ機構（４）（５）と、該複数個のパンタグラフ機構（４）（５）に跨がって上下方向に配置され且つ交差部（１２）（１３）で該各パンタグラフ機構（４）（５）に連結された伸縮方向に複数個の縦枠材（８）とを含む扉体（３）を備え、該扉体（３）の一端側を吊り元側支柱等の取り付け部（１）に取り付けた伸縮門扉において、下側のパンタグラフ機構（５）の隣り合う一対の縦枠材（８）間の傾斜リンク（１５）（１７）の長さを、上側のパンタグラフ機構（４）の隣り合う一対の縦枠材（８）間の傾斜リンク（１４）（１６）の長さよりも長くし、上下のパンタグラフ機構（４）（５）の隣り合う縦枠材（８）間の交差部（１２）（１３）のピン軸（２２）（２３）を上下に連結する連結杆（２４）を設けたことを特徴とする伸縮門扉。
【発明の詳細な説明】
【０００１】
【発明の属する技術分野】
本発明は、吊り下げ式の伸縮門扉に関し、扉体の伸長状態での移動端側の垂れ下がりを防止できるようにしたものである。
【０００２】
【従来の技術】
吊り下げ式伸縮門扉には、特開平９−１７７４５５号公報に記載のように、扉体の伸長状態での移動端側の垂れ下がりを防止できるようにしたものがある。
【０００３】
この吊り下げ式伸縮門扉は、複数本の右上がり傾斜リンクと左上がり傾斜リンクとをその交差部でピン軸により枢着して左右方向に伸縮自在に構成された１個のパンタグラフ機構と、上下方向に配置され且つパンタグラフ機構に交差部の固定ピン軸、可動ピン軸を介して連結された伸縮方向に複数個の縦枠材とを含む扉体を備え、この扉体の一端側を吊り元側支柱等の取り付け部に取り付けている。
【０００４】
そして、各傾斜リンクは７箇所の交差部で交差し、その上下中央の交差部を除く各交差部で両傾斜リンクをピン軸により枢着すると共に、各傾斜リンク上の隣接するピン軸相互のピン軸間距離の内、扉体の下部のピン軸間距離を上部のピン軸間距離よりも長くしている。
【０００５】
【発明が解決しようとする課題】
吊り下げ式伸縮門扉には、上下一対のパンタグラフ機構と、一対のパンタグラフ機構に跨がって上下方向に配置され且つ交差部で該各パンタグラフ機構に連結された伸縮方向に複数個の縦枠材とを含む扉体を備えたものがあるが、この種の伸縮門扉には従来の垂れ下がり防止構造を直ちに適用することはできない。
【０００６】
即ち、扉体の主要部分が１個のパンタグラフ機構で構成された伸縮門扉の場合には、扉体の中間部分に使用する各傾斜リンクは非常に長く、両傾斜リンクが７箇所等の交差部で交差する等その交差部の数が多い上に、各傾斜リンクのピン軸間距離も比較的長くなっているため、扉体の下部のピン軸間距離を上部のピン軸間距離よりも長くすることにより、扉体の移動端側の垂れ下がりを容易に防止できる。
【０００７】
しかし、上下一対のパンタグラフ機構を備えた伸縮門扉の場合には、各パンタグラフ機構で傾斜リンクが別々になるため、各パンタグラフ機構毎の傾斜リンクの長さが短く、ピン軸間距離が短い上に各パンタグラフ機構毎の交差部の数も少なくなっている。
【０００８】
従って、このように上下一対のパンタグラフ機構を備えた伸縮門扉において、各パンタグラフ機構の傾斜リンクをその交差部でピン軸により枢着して、その下部のピン軸間距離を上部のピン軸間距離よりも長くしても、傾斜リンクの夫々のピン軸間距離が一般に短いために、製作時の誤差等の影響によるバラツキが非常に大きくなり、また交差部の数が少ないために扉体全体の剛性が小さくなるため、扉体の移動端側の垂れ下がりを十分に防止できないという問題がある。
【０００９】
本発明は、このような従来の問題点に鑑み、製作時の誤差等の影響によるバラツキを極力少なくできると共に、扉体全体の剛性を十分に確保でき、扉体の移動端側の垂れ下がりを未然に防止できる伸縮門扉を提供することを目的とする。
【００１０】
【課題を解決するための手段】
本発明は、複数本の右上がり傾斜リンク１４，１５と左上がり傾斜リンク１６，１７とをその交差部１２，１３でピン軸１８〜２３により枢着して伸縮自在に構成された上下複数個のパンタグラフ機構４，５と、該複数個のパンタグラフ機構４，５に跨がって上下方向に配置され且つ交差部１２，１３で該各パンタグラフ機構４，５に連結された伸縮方向に複数個の縦枠材８とを含む扉体３を備え、該扉体３の一端側を吊り元側支柱等の取り付け部１に取り付けた伸縮門扉において、下側のパンタグラフ機構５の隣り合う一対の縦枠材８間の傾斜リンク１５，１７の長さを、上側のパンタグラフ機構４の隣り合う一対の縦枠材８間の傾斜リンク１４，１６の長さよりも長くし、上下のパンタグラフ機構４，５の隣り合う縦枠材８間の交差部１２，１３のピン軸２２，２３を上下に連結する連結杆２４を設けたものである。
【００１１】
【発明の実施の形態】
以下に、本発明の実施形態を図面に基づいて詳述する。図１〜図３は本発明の吊り下げ式伸縮門扉の第１の実施形態を例示する。この吊り下げ式伸縮門扉は、図１に示すように、出入り口等の左右両側で地面に立設された吊り元側支柱１及び戸当たり側支柱２と、これらの両支柱１，２間に左右方向に伸縮自在に配置され且つ一端側が吊り元側支柱１に取り付けられた扉体３とを備えている。
【００１２】
扉体３は左右方向に伸縮自在に構成された上下一対のパンタグラフ機構４，５と、この一対のパンタグラフ機構４，５に跨がってその一端側に上下方向に配置された吊り元側端枠６と、一対のパンタグラフ機構４，５に跨がってその他端側に上下方向に配置された戸当たり側端枠７と、両端枠６，７間に上下方向に配置され且つ一対のパンタグラフ機構４，５に跨がって連結された伸縮方向に複数個の縦枠材８とを備えている。なお、中間の縦枠材８には落とし棒９が設けられている。
【００１３】
吊り元側端枠６、戸当たり側端枠７は縦枠材８を兼用している。吊り元側端枠６は扉体３を吊り元側支柱１の背後等に旋回収納できるように、吊り元側支柱１に対して縦方向のヒンジ１０廻りに回動自在に装着されている。戸当たり側端枠７は把手、施錠手段等を備え、戸当たり側支柱２に当接した閉状態で施錠手段により施錠可能である。吊り元側端枠６、戸当たり側端枠７及び縦枠材８は図２に示すように、前後一対の縦桟部８ａと、この一対の縦桟部８ａの上端間を前後に連結する連結部８ｂとを備えた側面視逆Ｕ字状であって、一対の縦桟部８ａの下端部が前後方向の連結部材１１により連結されており、これらの内部にパンタグラフ機構４，５が配置されている。
【００１４】
各パンタグラフ機構４，５は、交差部１２，１３で交差する複数本の右上がり傾斜リンク１４，１５と左上がり傾斜リンク１６，１７とを備え、その両傾斜リンク１４，１６、１５，１７が所定の交差部１２，１３で固定ピン軸１８，１９、可動ピン軸２０，２１及び遊動ピン軸２２，２３等の前後方向の各ピン軸１８〜２３により枢着されている。
【００１５】
傾斜リンク１４，１６、１５，１７には長短複数種類のものがあり、その各傾斜リンク１４，１６、１５，１７は、各端枠６，７を含む各縦枠材８に対して上下方向の３箇所の交差部１２，１３で交差し、各端枠６，７を含む隣り合う縦枠材８間で上下方向の２箇所の交差部１２，１３で交差するように互いに交差状に配置されている。
【００１６】
なお、長い傾斜リンク１４，１６、１５，１７は隣り合う３本の縦枠材８に対応する交差部１２，１３とその中間の交差部１２，１３との５箇所で互いに交差し、また他の短い傾斜リンク１４，１６、１５，１７はその５箇所の交差部１２，１３に対応する交差部１２，１３で交差している。
【００１７】
各パンタグラフ機構４，５の傾斜リンク１４，１６、１５，１７は、図２及び図３に示すように、各端枠６，７を含む隣り合う縦枠材８間の上側の交差部１２，１３を除く各交差部１２，１３が固定ピン軸１８，１９、可動ピン軸２０，２１及び遊動ピン軸２２，２３で枢着されている。固定ピン軸１８，１９は各パンタグラフ機構４，５の上下中間の交差部１２，１３に設けられ、各端枠６，７を含む各縦枠材８に前後に貫通して固定されている。可動ピン軸２０，２１は各パンタグラフ機構４，５の上下の交差部１２，１３に設けられ、各端枠６，７を含む各縦枠材８に上下摺動自在に設けられている。
【００１８】
遊動ピン軸２２，２３は、各パンタグラフ機構４，５の隣り合う縦枠材８間の上下２箇所の交差部１２，１３の内その下側の交差部１２，１３に設けられ、この両遊動ピン軸２２，２３を連結する連結杆２４が上下のパンタグラフ機構４，５に跨がって上下方向に設けられている。なお、連結杆２４は上下のパンタグラフ機構４，５において、その前後の傾斜リンク１４，１６、１５，１７間に配置されており、下端側が下側のパンタグラフ機構４，５の上側の交差部１２，１３の傾斜リンク１４，１６、１５，１７間を経て遊動ピン軸２２，２３に連結されている。各ピン軸上には、両傾斜リンク１４，１６、１５，１７間又は各傾斜リンク１４，１６、１５，１７を挟んでスペーサが套嵌されている。
【００１９】
上下の各パンタグラフ機構４，５は、その右上がり傾斜リンク１４，１５同士、左上がり傾斜リンク１６，１７同士、各端枠６，７を含む隣り合う縦枠材８の各パンタグラフ機構４，５に対応する部分同士が平行又は略平行であって、これらにより各パンタグラフ機構４，５毎に夫々平行リンクが構成されており、しかも両パンタグラフ機構４，５の対応する右上がり傾斜リンク１４，１５及び左上がり傾斜リンク１６，１７が平行又は略平行になっている。
【００２０】
下側のパンタグラフ機構５の各端枠６，７を含む隣り合う各縦枠材８間の各傾斜リンク１５，１７の長さ、即ち傾斜リンク１５，１７の長手方向の隣り合う縦枠材８上のピン軸１９，２１間のピン軸間距離Ａは、その上側のパンタグラフ機構４の各端枠６，７を含む隣り合う縦枠材８間の各傾斜リンク１４，１６の長さ、即ち傾斜リンク１４，１６の長手方向の隣り合う縦枠材８上のピン軸１８，２０間のピン軸間距離Ｂよりも若干長くなっている。
【００２１】
各パンタグラフ機構４，５の遊動ピン軸２２，２３は、各端枠６，７を含む隣り合う各縦枠材８間の中央にあり、この遊動ピン軸２２，２３と固定ピン軸１８，１９又は可動ピン軸２０，２１との間のピン軸間距離Ｃ，Ｄは、その上側の傾斜リンク１４，１６、１５，１７のピン軸間距離の１／２になっている。
【００２２】
連結杆２４の上下の遊動ピン軸２２，２３間のピン軸間距離Ｅは、各パンタグラフ機構４，５の固定ピン軸１８，１９により各端枠６，７を含む縦枠材８に枢着された左上がり傾斜リンク１６，１７を平行又は略平行に保つように、各端枠６，７を含む各縦枠材８上の固定ピン軸１８，１９間のピン軸間距離Ｆよりも若干長くなっている。
【００２３】
因みに、各ピン軸間距離は図３に示すように、下側のパンタグラフ機構５の上側（遊動ピン軸２３のない側）のピン軸間距離Ａが２３０ｍｍ、下側（遊動ピン軸２３のある側）のピン軸間距離Ｃが１１５ｍｍであり、上側のパンタグラフ機構４の上側（遊動ピン軸２２のない側）のピン軸間距離Ｂが２２４ｍｍ、下側（遊動ピン軸２２のある側）のピン軸間距離Ｄが１１２ｍｍである。また上下のパンタグラフ機構４，５の固定ピン軸１８，１９間のピン軸間距離Ｆが４９１．５ｍｍであり、上下の遊動ピン軸２２，２３間のピン軸間距離Ｅが４９３．２ｍｍである。
【００２４】
このような構成の伸縮門扉では、扉体３が上下一対のパンタグラフ機構４，５に跨がって複数本の縦枠材８を設けた構成であるにも拘わらず、扉体３の伸長状態での移動端側の垂れ下がりを防止することができる。
【００２５】
即ち、一対のパンタグラフ機構４，５を備えた扉体３の場合には、各パンタグラフ機構４，５の傾斜リンク１４，１６、１５，１７の長さが比較的短く、その交差部１２，１３の数も少ない上に、各ピン軸間距離Ａ〜Ｄも短いが、一対のパンタグラフ機構４，５の遊動ピン軸２２，２３を連結杆２４で連結して、一対のパンタグラフ機構４，５の各端枠６，７を含む隣り合う縦枠材８間に、これら隣り合う縦枠材８と上下のパンタグラフ機構４，５の各傾斜リンク１４，１６、１５，１７と連結杆２４とにより四節リンクを構成することにより、一対のパンタグラフ機構４，５の相対応する傾斜リンク１４，１６、１５，１７を平行又は略平行に保つことができ、扉体３全体の剛性が増大する。
【００２６】
従って、下側のパンタグラフ機構５のピン軸間距離Ａを上側のパンタグラフ機構４のピン軸間距離Ｂよりも長くしておけば、各端枠６，７を含む隣り合う縦枠材８間の間隔をその上側よりも下側を大にした状態に確実に維持できるので、製作時の誤差等の影響によるバラツキを極力少なくできると共に、扉体３全体の剛性を十分に確保でき、扉体３の伸長状態での移動端側の垂れ下がりを未然に防止できる。
【００２７】
また隣り合う縦枠材８間に、その上下のパンタグラフ機構４，５に跨がる連結杆２４があるため、扉体３全体を見た場合にも上下方向の部材数が増加し、その意匠性が向上する利点がある。
【００２８】
なお、この実施形態では、上下のパンタグラフ機構４，５の隣り合う一対の縦枠材８間の上下２個の交差部１２，１３の内、その下側の交差部１２，１３に夫々遊動ピン軸２２，２３を設けて、その両遊動ピン軸２２，２３を連結杆２４で上下に連結するようにしているが、上側の交差部１２，１３に遊動ピン軸２２，２３を設けても良い。
【００２９】
また実施形態では、ピン軸間距離Ｅをピン軸間距離Ｆよりも長くしているが、ピン軸間距離Ｅとピン軸間距離Ｆとを同じにしても良いし、逆にピン軸間距離Ｆをピン軸間距離Ｅよりも長くしても良い。
【００３０】
図４は本発明の第２の実施形態を例示する。この実施形態では、上側のパンタグラフ機構４には隣り合う縦枠材８間の上側の交差部１２に、下側のパンタグラフ機構５には隣り合う縦枠材８間の下側の交差部１３に夫々遊動ピン軸２２，２３が設けられ、隣り合う縦枠材８間にその両遊動ピン軸２２，２３を連結する連結杆２４が上下方向に設けられている。
【００３１】
因みに、この実施形態の場合には上側のパンタグラフ機構４のピン軸間距離は、遊動ピン軸２２のない下側がＢ＝２２０ｍｍ、遊動ピン軸２２のある上側がＤ＝１１０ｍｍであり、下側のパンタグラフ機構５のピン軸間距離は、遊動ピン軸２３のない上側がＡ＝２３０ｍｍ、遊動ピン軸２３のある下側がＣ＝１１５ｍｍである。他の構成は第１の実施形態と略同じである。
【００３２】
このように上下のパンタグラフ機構４，５の隣り合う一対の縦枠材８間の交差部１２，１３の内、上側のパンタグラフ機構４ではその上側の交差部１２に、下側のパンタグラフ機構５ではその下側の交差部１３に夫々遊動ピン軸２２，２３を設ける等、上下のパンタグラフ機構４，５でその上下反対側の交差部１２，１３に遊動ピン軸２２，２３を設けて、この上下の遊動ピン軸２２，２３を連結杆２４で上下に連結した場合にも、同様の効果を得ることができる。
【００３３】
従って、第１の実施形態では、各パンタグラフ機構４，５の上下２個の交差部１２，１３の内、その同一側の交差部１２，１３に遊動ピン軸２２，２３を設けて、その遊動ピン軸２２，２３を連結杆２４で連結しているが、この第２の実施形態に例示するように上下２個の交差部１２，１３の内、その反対側の交差部１２，１３に遊動ピン軸２２，２３を設けても良い。
【００３４】
図５は本発明の第３の実施形態を例示する。この実施形態では、上側のパンタグラフ機構４には隣り合う縦枠材８間の上下両側の交差部１２に、下側のパンタグラフ機構５には隣り合う縦枠材８間の下側の交差部１３に夫々遊動ピン軸２２，２３が設けられ、上側のパンタグラフ機構４の下側の遊動ピン軸２２と、下側のパンタグラフ機構５の下側の交差部１３の遊動ピン軸２３とを連結するように連結杆２４が上下方向に設けられている。なお、他の構成は、第１又は第２の実施形態と同様である。
【００３５】
このように一対のパンタグラフ機構４，５の内、その一方のパンタグラフ機構４の隣り合う縦枠材８間の上下２個の交差部１２に遊動ピン軸２２を夫々設けても良い。この場合には、一方のパンタグラフ機構４の交差部１２の全てにピン軸１８，２０，２２があるため、そのパンタグラフ機構４，５の剛性が更に向上し、扉体３の移動端側の垂れ下がりを確実に防止できる。
【００３６】
なお、この実施形態では、下側のパンタグラフ機構５の隣り合う各縦枠材８間の上下２個の交差部１３の内、その下側の交差部１３に遊動ピン軸２３を設けて、この遊動ピン軸２３に連結杆２４を連結しているが、上側の交差部１３に遊動ピン軸２３を設けて、その遊動ピン軸２３に連結杆２４を連結しても良い。
【００３７】
図６及び図７は本発明の第４の実施形態を例示する。この実施形態の連結杆２４は、図６及び図７に示すように他の縦枠材８等と同様に、前後一対の縦桟部２４ａと、この一対の縦桟部２４ａの上端間を前後に連結する連結部２４ｂとを備えた側面視逆Ｕ字状であって、一対の縦桟部２４ａの下端部が前後方向の連結部材２５により連結され、この連結杆２４の内部に上下のパンタグラフ機構４，５が設けられている。
【００３８】
連結杆２４には隣り合う縦枠材８間で各パンタグラフ機構４，５の上下２個の交差部１２，１３の内、共に同一側である下側の交差部１２，１３の遊動ピン軸２２，２３が前後に挿通されている。そして、連結杆２４は、扉体３が最大伸長状態のときにその上端が各端枠６，７、縦枠材８の上端と略同一高さとなり、最小の縮小状態のときにその下端が各端枠６，７、縦枠材８の下端と略同一高さとなる長さになっている。
【００３９】
なお、連結杆２４の下端側には、他の縦枠材８と同様にその下端側を前後に連結する連結部材２５を設けても良い。他の構成は、第１〜第３の何れかの実施形態と同様である。
【００４０】
このように連結杆２４を各端枠６，７、縦枠材８等の同様の側面視逆Ｕ字状等に構成して、その連結杆２４の内部に上下のパンタグラフ機構４，５を配置しても良い。この場合には、隣り合う縦枠材８間に、この縦枠材８と同様に連結杆２４が配置されるので、実質的に縦枠材８の数が増加することになり、伸縮門扉全体の意匠性が向上する。
【００４１】
なお、この第４の実施形態では、各パンタグラフ機構４，５の下側の交差部１２，１３の遊動ピン軸２２，２３に連結杆２４を連結しているため、連結杆２４は扉体３を伸長状態から収縮させる際に下降して伸長させる際に上昇するが、各パンタグラフ機構４，５の上側の交差部１２，１３の遊動ピン軸２２，２３に連結杆２４を連結すれば、連結杆２４はその逆に昇降する。
【００４２】
図８は本発明の第５の実施形態を例示する。この実施形態では、上下のパンタグラフ機構４，５は、中間の長い傾斜リンク１４，１６、１５，１７が４箇所の交差部１２，１３で交差するように構成されており、各各端枠６，７を含む縦枠材８に対応して上下２箇所の交差部１２，１３があり、各各端枠６，７を含む隣り合う縦枠材８間に上下２箇所の交差部１２，１３がある。
【００４３】
上側のパンタグラフ機構４の各傾斜リンク１４，１６は、各端枠６，７を含む縦枠材８に対応する交差部１２では上側でその中間が谷状に、下側でその端部が山状に夫々交差し、各端枠６，７を含む隣り合う縦枠材８間の交差部１２では上側でその端部が山状に、下側でその中間が谷状に夫々交差している。
【００４４】
下側のパンタグラフ機構５の各傾斜リンク１５，１７は、上側のパンタグラフ機構４と逆になっており、上下のパンタグラフ機構４，５の各傾斜リンク１４，１６、１５，１７の配置は上下対称形に配置されている。
【００４５】
上側のパンタグラフ機構４は、各端枠６，７を含む隣り合う縦枠材８間の２箇所の交差部１２で各傾斜リンク１４，１６が遊動ピン軸２２により枢着され、下側のパンタグラフ機構５は下側の交差部１３が遊動ピン軸２３により枢着されている。そして、上側のパンタグラフ機構４の下側の遊動ピン軸２２と下側のパンタグラフ機構５の遊動ピン軸２３とが連結杆２４により連結されている。
【００４６】
なお、その他の構成は、第１〜第４の何れかの実施形態と同様であり、上側のパンタグラフ機構４の各傾斜リンク１４，１６のピン軸間距離Ｄは、下側のパンタグラフ機構５の各傾斜リンク１５，１７のピン軸間距離Ｃよりも若干短くなっている。因みに、上側のパンタグラフ機構４の各ピン軸間距離は全て同一のＤ＝１１２ｍｍであり、下側のパンタグラフ機構５のピン軸間距離はＣ＝１１５ｍｍ、Ａ＝２３０ｍｍである。
【００４７】
このように各傾斜リンク１４，１６、１５，１７が４箇所の交差部１２，１３で交差する構成のパンタグラフ機構４，５を採用した場合でも、その上下の遊動ピン軸２２，２３を上下に連結する連結杆２４を設けることによって、他の各実施形態と同様に扉体３の移動端側の垂れ下がりを防止できる。
【００４８】
なお、上下のパンタグラフ機構４，５は上下逆に構成しても良い。また遊動ピン軸２２，２３の位置、連結杆２４の長さ、形状は、他の各実施形態と同様にすることも可能である。従って、この実施形態の連結杆２４を側面視逆Ｕ字状に構成して、その連結杆２４の内部に各パンタグラフ機構４，５を配置することも可能である。
【００４９】
以上、本発明の各実施形態について詳述したが、本発明はこの各実施形態に限定されるものではなく、その他種々の態様で実施することができる。例えば、第１〜第４の実施形態では中間の長い傾斜リンク１４，１６、１５，１７が互いに５箇所で交差し、各端枠６，７を含む縦枠材８に対して上下方向に３箇所の交差部１２，１３で交差するようにしているが、長い傾斜リンク１４，１６、１５，１７が互いに３箇所又は７箇所で交差し、各端枠６，７を含む縦枠材８に対して上下２箇所又は４箇所の交差部１２，１３で交差するようにしても良い。
【００５０】
また各実施形態では縦枠材８、連結杆２４等に真っ直ぐな部材を使用しているが、扉体３の収縮状態で互いに干渉しない構造であれば、湾曲状、その他の部材を使用することも可能である。パンタグラフ機構４，５は上下方向に２個以上の複数あれば良い。扉体３の吊り元側は、吊り元側支柱１以外のものに取り付けるようにしても良い。
【００５１】
縦枠材８は上下方向に配置される部材であれば十分であり、必ずしも実施形態のように逆Ｕ字状に構成する必要はなく、逆Ｕ字状以外の形状、構造のものを使用しても良い。
【００５２】
更に各実施形態のピン軸間距離Ａ〜Ｄの寸法は、各ピン軸間距離Ａ〜Ｄの相対的な長短関係を示す一例に過ぎず、その寸法に限定されるものではない。従って、大きい寸法はピン軸間距離が長く、それよりも小さい寸法はピン軸間距離がそれよりも相対的に短いことを示すに過ぎない。
【００５３】
【発明の効果】
本発明では、複数本の右上がり傾斜リンク１４，１５と左上がり傾斜リンク１６，１７とをその交差部１２，１３でピン軸１８〜２３により枢着して伸縮自在に構成された上下複数個のパンタグラフ機構４，５と、該複数個のパンタグラフ機構４，５に跨がって上下方向に配置され且つ交差部１２，１３で該各パンタグラフ機構４，５に連結された伸縮方向に複数個の縦枠材８とを含む扉体３を備え、該扉体３の一端側を吊り元側支柱等の取り付け部に取り付けた伸縮門扉において、下側のパンタグラフ機構５の隣り合う一対の縦枠材８間の傾斜リンク１５，１７の長さを、上側のパンタグラフ機構４の隣り合う一対の縦枠材８間に傾斜リンク１４，１６の長さよりも長くし、上下のパンタグラフ機構４，５の隣り合う縦枠材８間の交差部１２，１３のピン軸２２，２３を上下に連結する連結杆２４を設けているので、製作時の誤差等の影響によるバラツキを極力少なくできると共に、扉体３全体の剛性を十分に確保でき、扉体３の移動端側の垂れ下がりを未然に防止できる。
【図面の簡単な説明】
【図１】本発明の第１の実施形態を示す吊り下げ式伸縮門扉の正面図である。
【図２】本発明の第１の実施形態を示す吊り下げ式伸縮門扉の側面断面図である。
【図３】本発明の第１の実施形態を示す概略構成図である。
【図４】本発明の第２の実施形態を示す吊り下げ式伸縮門扉の正面図である。
【図５】本発明の第３の実施形態を示す吊り下げ式伸縮門扉の正面図である。
【図６】本発明の第４の実施形態を示す吊り下げ式伸縮門扉の正面図である。
【図７】本発明の第４の実施形態を示す吊り下げ式伸縮門扉の側面断面図である。
【図８】本発明の第５の実施形態を示す吊り下げ式伸縮門扉の概略構成図である。
【符号の説明】
３　扉体
４，５　パンタグラフ機構
８　縦枠材
１２，１３　交差部
１４，１５　右上がり傾斜リンク
１６，１７　左上がり傾斜リンク
１８，１９　固定ピン軸
２０，２１　可動ピン軸
２２，２３　遊動ピン軸
２４　連結杆
【図１】
2004011152.tif 000003
【図２】
2004011152.tif 000004
【図３】
2004011152.tif 000005
【図４】
2004011152.tif 000006
【図５】
2004011152.tif 000007
【図６】
2004011152.tif 000008
【図７】
2004011152.tif 000009
【図８】
2004011152.tif 000010